(57)【要約】【課題】動画表示機能を有しない携帯電話端末に、動画配信を文字情報の配信を行うシステムの提供。【解決手段】グリーティングメールの予約情報を記憶する予約情報データベース１００と、動画を携帯電話端末に表示可能な画像フォーマットに変換する画像変換部１６０で変換した情報と広告データベース１２０に保存された広告情報を合成する、広告合成部１５０と、動画プレーヤー１３０のデータを有するサーバーをネットワーク２０と無線基地局を介してユーザーの携帯電話からなる端末５０に配信するシステムとした。【選択図】　　図１
2004007077.tif 000002
【特許請求の範囲】
【請求項１】
アプリケーションプログラムをダウンロードし実行可能な静止画像表示手段を有する携帯電話端末と、
ネットワークを介してデジタルの画像データと文字情報からなるデータ配信の期日を指定する予約データとデータキャリアの識別情報とを取得する第１のデータ取得手段と、デジタルデータの広告情報を取得する第２のデータ取得手段と、前記第１のデータ取得手段に取得された前記画像データを、前記携帯電話端末で表示するための画像データに変換する画像変換手段と、前記予約データを保存する予約情報保存手段と、前記データキャリア毎の前記携帯電話端末の動画再生プレーヤーを保存するプレーヤー保存手段と、前記広告情報と前記画像データを合成するデータ合成手段と、前記プレーヤー保存手段に蓄積された動画再生プレーヤーを前記携帯電話端末に送信する手段と、前記データ合成手段により合成されたデータを送信する送信手段とを有するアプリケションサービスプロバイダサーバーと、
前記アプリケーションサービスプロバイダサーバと前記携帯電話端末との間に介在し、無線による画像データの送受信を行う無線基地局とからなる画像配信システム。
【請求項２】
動画データを携帯電話端末に表示可能なデータフォーマットに変換する画像変換部と、前記画像変換部で変換された画像情報を記憶する画像データベースと、前記画像データベースに記憶された画像情報と広告データベースに記憶された広告データとを合成する広告合成部と、アプリケーションプログラムをダウンロードし実行可能な静止画像表示手段を有する携帯電話端末に動画プレーヤーを配信する手段を有するサーバー。
【請求項３】
携帯電話端末に動画再生を行う動画プレーヤーを配信し、前記携帯端末に画像変換を行った画像情報と広告情報を合成した画像情報を配信し、前記動画プレーヤーで動画を再生する動画配信方法。
【発明の詳細な説明】
【０００１】
【発明の属する技術分野】
この発明は画像配信システムに係り、特に携帯電話端末の動画配信に関する。
【０００２】
【従来の技術】
従来、動画のデジタルデータは、圧縮技術によりデータサイズを小さくしても静止画と比較して極めてデータ量が大きいものであった。そして、携帯電話の通話料金は時間課金やデータ量またはパケット量で通話料金が加算されていた。
【０００３】
さらに携帯電話端末は通信処理速度が低いものであった。そこで、静止画や画面数が数枚に限定されたアニメーションを配信するに留まっていた。
【０００４】
機能を限定し動画再生をできる携帯電話端末は、キャリアや端末の機種が限定され、特定ユーザー同士の動画配信に限定され、汎用性の乏しいものであった。
【０００５】
【発明が解決しようとする課題】
従来は、通信処理速度が低いためデジタルカメラやビデオカメラで撮影した動画をアップロードして一般の携帯電話端末にビデオメッセージを配信することができなかった。さらに、画面数の多く、滑らかに動きを表現でき、再生時間の長いアニメーションを不特定多数の携帯電話端末に配信することも困難であった。
【０００６】
本発明は、動画再生機能を有しない汎用の携帯電話端末に動画の配信をすることができる画像配信システムを提供することを目的とする。
【０００７】
【課題を解決するための手段】
本発明はアプリケーションプログラムをダウンロードして実行可能な静止画像表示手段を有する携帯電話端末を使用し、ネットワークを介してデジタルの画像データと文字情報からなるデータ配信の期日を指定する予約データとデータキャリアの識別情報とを取得する第１のデータ取得手段と、デジタルデータの広告情報を取得する第２のデータ取得手段と、前記第１のデータ取得手段に取得された前記画像データを、前記携帯電話端末で表示するための画像データに変換する画像変換手段と、前記予約データを保存する予約情報保存手段と、前記データキャリア毎の前記携帯電話端末の動画再生プレーヤーを保存するプレーヤー保存手段と、前記広告情報と前記画像データを合成するデータ合成手段と、前記プレーヤー保存手段に蓄積された動画再生プレーヤーを前記携帯電話端末に送信する手段と、前記データ合成手段により合成されたデータを送信する送信手段とを有するアプリケションサービスプロバイダサーバーを、無線基地局を介して携帯電話端末との間に配置し、無線による画像データの送受信を行うシステムとした。
【０００８】
この画像データのシステムを構成することにより、動画のフォーマットで画像データを保存できるデジタルカメラやビデオカメラで撮影した映像を、動画プレーヤーを保存可能なプログラム保存と動作機能を有する携帯電話に動画送信を行うことが出来る。
【０００９】
本発明は、動画データを携帯電話端末に表示可能なデータフォーマットに変換する画像変換部と、前記画像変換部で変換された画像情報を記憶する画像データベースと、前記画像データベースに記憶された画像情報と広告データベースに記憶された広告データとを合成する広告合成部と、アプリケーションプログラムをダウンロードし実行可能な静止画像表示手段を有する携帯電話端末に動画プレーヤーを配信する手段を有するサーバーにある。
【００１０】
本発明は、携帯電話端末に動画再生を行う動画プレーヤーを配信し、前記携帯端末に画像変換を行った画像情報と広告情報を合成した画像情報を配信し、前記動画プレーヤーで動画を再生する動画配信方法にある。
【００１１】
【発明の実施の形態】
図１は、本発明の実施例を示す図で、パーソナルコンピュータや携帯情報端末からなる端末１０から、グリティングメールの配信予約情報と、グリーティングカードに添付する動画からなる画像データを送信する。ここで、動画はデジタルカメラやビデオカメラから端末に送ることができる。
これらの情報はインターネットのネットワーク２０を介して、サーバー３０に送信する。ここでサーバー３０はアプリケーションサービスプロバイダサーバーである。
【００１２】
サーバー３０内では、入力されたグリーテイング予約情報を編集し、予約情報データベース１００に保存する。添付された画像データは、画像変換部１６０で、１０枚以上の複数の静止画や、音声データと画像データに変換される。そして、アニメーションの情報を画像データベース１１０に保存する。
【００１３】
広告データベース１２０は、文字情報からなる企業の広告情報を記憶、保存する。広告情報は、サーバー３０に予め登録しておくか、またはネットワーク１２０を介して広告を行う企業等のクライアントの端末に接続され、クライアント数が多い場合、クライアント管理用のサーバーとインターネットのネットワークを介してサーバー３０と接続する。
【００１４】
動画プレーヤー１３０は、動画再生機能を持たない通常の携帯電話にダウンロードされ、携帯電話内でプログラムを動作することにより動画表示を行うためのプログラムやプログラムのモジュールからなる。
【００１５】
図２は、サーバーの構成を示す図で、メールアドレスを保管するメールサーバー２１０、システムの管理を行う管理サーバー２２０、ＷＥＢ上のデータのやり取りを行うＷＥＢサーバー２３０、インターネット２７０との接続の安全管理を行うファイヤーウオール２６０、予約情報や画像や広告のデータベースを管理するデータベースサーバー、動画フォーマットの画像情報を動画再生機能のない、汎用の携帯電話で再生可能なフォーマットに変換する画像変換サーバー２５０からなる。
【００１６】
システムの動作は、始めに第１のユーザーがカメラ付き携帯電話から動画や複数枚の静止画送信する。または、パーソナルコンピュータからグリーティングカードを送信する。ビデオカメラやデジタルビデオカメラからパーソナルコンピュータを介して画像データを送信する。これらの情報を図１のネットワーク２０を介してサーバー３０が受信する。ここで、グリーティングメールを第２のユーザーに配信する例を説明する。上述の様に撮影した動画フォーマットの画像情報や、サーバー３０内のアニメーションカードを選択する。クリーティングカードの送付先アドレスから、第２のユーザーの携帯電話端末のキャリアを特定する。
【００１７】
サーバー３０で、画像情報を携帯電話端末の画像サイズに最適化する。第２のユーザーは、グリーティングカードの送信情報に基づくスケージュールで配信された、動画プレーヤーのアプリケーションをダウンロードする。
【００１８】
図３は、グリーティングメールを受信した携帯電話端末の表示画面である。携帯電話端末は、アプリケーションを動作することがきる端末で、さらにプログラムをダウンロードし実行できる端末である。画面３００内にメールの発信者の表示とメッセージ３０５の種類を示す表示と、動画プレーヤーの場所を示すＵＲＬ３０７が表示される。ＵＲＬ３０７をクリックすると、サーバー３０から動画プレーヤーがダウンロードされる。
【００１９】
動画プレーヤーのダウンロード中は、携帯電話の画面に文字情報が流れ、画面が停止状態ではなく広告情報を表示し、メール受信者の待受け時間に、企業の広告等を繰り返し流すことや、文字をフラッシュさせることができる。そこで、ダウンロードの時間にメール受信者が通話を切断し、サービスの提供を拒否することがなくなり、広告の効率が向上する。
【００２０】
画像情報を送信する前に、サーバーから携帯電話端末に端末の機種を判別する情報の送信を促し、機種ごとに異なる表示機能や画素数等を予め検知しておく。次に、機種に合わせた画像情報を送信する。
【００２１】
図４は、サーバーで画像変換を行った画像情報を携帯電話端末で受信した状態を示す画面３００を示す図で、上部に「お誕生日おめでとう！」の文字情報３１０が右から左に流れ、繰り返し表示される。
【００２２】
画面中央から下は画像情報３２０で、「Ｈａｐｐｙ　Ｂｉｒｔｈｄａｙ」の文字が画面内に移動し、ｉの文字の色や形状が刻々と変化し受信者が楽しむことが出来る。ここで、受信の初期状態で画像情報３２０の表示が行われるまでは、先に文字情報３１０が表示され、待受け時間に通話を遮断されることが無くなる。画像情報３２０の表示を開始すると、文字情報３１０は、引き続き表示を繰り返す。画像情報３２０は、画面３００を分割表示したもので、ＶＲＡＭのアドレスを指定して画像情報を表示することにより行われる。
【００２３】
パーソナルコンピュータ等の画素数の多い表示画面に比べて、表示サイズが小さく画素数も少ない、携帯電話端末の画面の情報不足を補う文字情報を文字を読む方向に、この場合右から左に送ることにより、比較的文字数の多い文字情報を受信することができる。例えば、映画の画像情報を画像情報３２０に表示し、字幕を３１０に表示することにより一画面に入りきらない文字数の字幕も表示することができる。
【００２４】
画像情報３２０の情報と一緒に音声情報の送信も可能で、ポリフォニクの音源を利用し、画面と同期した効果的な音場を形成することもでき、小型画面によるアニメーション等の迫力不足を補うこともできる。
【００２５】
【発明の効果】
本発明によれば、動画のデータを通信速度の低い回線や情報処理速度の低い携帯電話端末に動画情報を送信することができ、かつ待受け時間にも文字情報を送信することができ、携帯電話端末のユーザーが手軽に動画を受信することができる。
【００２６】
さらに、動画の送信者がビデオカメラやデジタルカメラさらには、カメラ付きの携帯電話から手軽に、一般の携帯電話のユーザーに動画の配信をすることができる。
【００２７】
広告情報提供者は、動画情報に合わせて多量の文字情報や、少ない文字情報を繰り返し表示することにより携帯電話端末のユーザーに広告情報を送信することができるので、ユーザーに商品名やキャッチコピーを効率的に記憶させることができる。これにより、企業名や商品の知名度向上を容易に図ることができる。また、グリーティングメールの返礼用の商品売買の機会を作ることもできる。
【図面の簡単な説明】
【図１】本発明のシステム構成を示す図である。
【図２】本発明のネットワークサーバーを示す図である。
【図３】本発明の端末の表示画面を示す図である。
【図４】本発明の端末の表示画面を示す図である。
【符号の説明】
１０　端末
２０　ネットワーク
３０　サーバー
４０　基地局
５０　端末
１００　予約情報データベース
１１０　画像情報データベース
１２０　広告データベース
１３０　動画プレーヤー
１５０　広告合成
１６０　画像変換
２１０　メールサーバー
２２０　管理サーバー
２３０　ＷＥＢサーバー
２４０　データベースサーバー
２５０　画像変換サーバー
２６０　ファイヤーウオール
２７０　インターネット
２８０　端末
３００　画面
３０５　メッセージ
３０７　ＵＲＬ
３１０　文字情報
３２０　画像情報
【図１】
2004007077.tif 000003
【図２】
2004007077.tif 000004
【図３】
2004007077.tif 000005
【図４】
2004007077.tif 000006